(57)【要約】  発電又は蓄電に関する情報を好適に伝送する情報伝送装置及び情報伝送方法を提供する。  携帯型の電子機器など商用電源を利用できないアウトドア・ユースの各種の装置に接続し得る、種々ある発電デバイスや蓄電デバイスに対して、発電効率やその他の発電状況、２次電池における残存容量や蓄電効率、その他の蓄電状況に関する情報を伝達するメッセージの統一的なフォーマットを提供する。発電デバイスや蓄電デバイスからの電力を利用する電子機器側では、いずれの発電デバイスや蓄電デバイスからのメッセージを解析してユーザーに提示する。
2016047228.tif 000002
【特許請求の範囲】
【請求項１】
発電部又は蓄電部における発電・蓄電情報を取得する情報取得部と、
前記発電・蓄電情報を含んだ前記所定フォーマットのメッセージを生成するメッセージ生成部と、
メッセージを送信する通信部と、
を具備する情報伝送装置。
【請求項２】
発電部又は蓄電部をさらに備え、
前記情報取得部は、前記発電部又は前記蓄電部をモニタリングして発電・蓄電情報を取得する、
請求項１に記載の情報伝送装置。
【請求項３】
発電部又は蓄電部における発電・蓄電情報を含んだ所定フォーマットのメッセージを受信する通信部と、
受信したメッセージを解析する情報解析部と、
を具備する情報伝送装置。
【請求項４】
提示部と、
前記情報解析部における解析結果に基づいて、前記発電・蓄電情報を提示するように前記提示部を制御する提示制御部と、
をさらに備える請求項３に記載の情報伝送装置。
【請求項５】
前記提示制御部は、受信したメッセージが発電情報及び蓄電情報を含む場合には発電情報及び蓄電情報を前記提示部で提示し、発電情報のみを含む場合には発電情報を前記提示部で提示し、蓄電情報のみを含む場合には蓄電情報を前記提示部で提示する、
請求項４に記載の情報伝送装置。
【請求項６】
前記提示制御部は、複数の発電・蓄電情報を受信したときには、合算して前記提示部で提示する、
請求項４に記載の情報伝送装置。
【請求項７】
前記提示制御部は、複数の発電・蓄電情報を受信したときには、各発電・蓄電情報を最大乃至規定の発電電力又は、発電電力量乃至充電容量で正規化して、前記提示部で提示する、
請求項４に記載の情報伝送装置。
【請求項８】
前記提示制御部は、複数の発電・蓄電情報を受信したときには、各発電・蓄電情報の一覧を提示し、又は、選択して提示する、
請求項４に記載の情報伝送装置。
【請求項９】
発電部又は蓄電部における発電・蓄電情報を取得する情報取得ステップと、
前記発電・蓄電情報を含んだ前記所定フォーマットのメッセージを生成するメッセージ生成ステップと、
メッセージを送信する通信ステップと、
を有する情報伝送方法。
【請求項１０】
発電部又は蓄電部における発電・蓄電情報を含んだ所定フォーマットのメッセージを受信する通信ステップと、
受信したメッセージを解析する情報解析ステップと、
を有する情報伝送方法。
【発明の詳細な説明】
【技術分野】
【０００１】
本明細書で開示する技術は、発電又は蓄電に関する情報を伝送する情報伝送装置及び情報伝送方法に関する。
【背景技術】
【０００２】
スマートフォンやタブレットなどの多機能携帯端末、ディジタルカメラ、携帯型音楽プレイヤーなど、さまざまな携帯型の情報機器が広く普及している。この種の情報機器の多くは、バッテリー駆動型であり、バッテリーの残存容量に応じてオペレーション時間が決まり、バッテリーの交換や充電が必要になる。【０００３】
例えば、ユーザーが使用する機器や機能に関して、電池の残存容量との関係でどのくらいの時間使用することができるかを視認することができる電池残存容量表示装置について提案がなされている（例えば、特許文献１を参照のこと）。【０００４】
また、緑と赤のＬＥＤが１つのパッケージに収められた２色ＬＥＤを３セグメント一列にして配置して電池損量インジケーターを構成する電池残量表示方法について提案がなされている（例えば、特許文献２を参照のこと）。【０００５】
また、電池残量アイコンの形状と表示色という２つのパラメーターを変化させることより、電池残量アイコンの１つ分の表示領域に対し２つの電池残量を同時に表示させる表示装置について提案がなされている（例えば、特許文献３を参照のこと）。【０００６】
また、２次電源の電圧を検出して２次電源の電池残量を最適なタイミングで且つ正確にユーザーに告知する電池残量検出装置について提案がなされている（例えば、特許文献４を参照のこと）。【０００７】
また、歩行などの人間の日常動作を利用して、ユーザーが意識せずに発電を行なうことができる発電装置について提案がなされている（例えば、特許文献５、６を参照のこと）。ユーザーの装着する靴に発電装置を設置し、外部からの加重として、利用者の体重を使用するので、例えば、日常生活の歩行や走行によって発電することができ、実用的な発電装置を提供することが可能になる。この種の発電装置で得られた電力を用いて、携帯機器を駆動したり２次電池を蓄電したりすることができる。【０００８】
また、太陽光、振動、熱、環境電磁波をエネルギー源として環境発電を行なう装置についても提案がなされている（例えば、特許文献７を参照のこと）。【０００９】
発電装置や蓄電装置を利用するユーザーは、２次電池が十分な蓄電量かどうかを確認する動作が必要である。そして、蓄電量が十分であることが分かれば、ユーザーは、発電装置から蓄電池を取り外し、自分が使用中の情報機器内の２次電池と交換する、あるいはスペアーの電池として持ち歩くことができる。【００１０】
発電装置や蓄電装置で蓄電した２次電池を利用する際、その蓄電量を確認する必要がある。蓄電量が十分でない場合、電池を交換しようとする行為が無駄になる。とりわけ、情報機器の外部（ユーザーが装着する靴など）に発電装置が設置される場合、情報機器は発電装置側での２次電池の蓄電量の情報を直接取得する手段を持たない。
【先行技術文献】
【特許文献】
【００１１】
【特許文献１】特開平１１−２２３６６６号公報
【特許文献２】特開２００５−１６４２５０号公報
【特許文献３】特開２００９−１０３５６４号公報
【特許文献４】特開２００１−２１５２６２号公報
【特許文献５】特開２００８−３０１６０６号公報
【特許文献６】特開２００７−３３００３４号公報
【特許文献７】特開２００２−１１８４８０号公報
【特許文献８】ＷＯ２０１４／０４１８７２
【発明の概要】
【発明が解決しようとする課題】
【００１２】
本明細書で開示する技術の目的は、発電又は蓄電に関する情報を好適に伝送することができる、優れた情報伝送装置及び情報伝送方法を提供することにある。
【課題を解決するための手段】
【００１３】
本明細書で開示する技術は、上記課題を参酌してなされたものであり、その第１の側面は、
発電部又は蓄電部における発電・蓄電情報を取得する情報取得部と、
前記発電・蓄電情報を含んだ前記所定フォーマットのメッセージを生成するメッセージ生成部と、
メッセージを送信する通信部と、
を具備する情報伝送装置である。【００１４】
本明細書で開示する技術の第２の側面によれば、第１の側面に係る情報伝送装置は、発電部又は蓄電部をさらに備えている。そして、前記情報取得部は、前記発電部又は前記蓄電部をモニタリングして発電・蓄電情報を取得するように構成されている。【００１５】
また、本明細書で開示する技術の第３の側面は、
発電部又は蓄電部における発電・蓄電情報を含んだ所定フォーマットのメッセージを受信する通信部と、
受信したメッセージを解析する情報解析部と、
を具備する情報伝送装置である。【００１６】
本明細書で開示する技術の第４の側面によれば、第３の側面に係る情報伝送装置は、提示部と、前記情報解析部における解析結果に基づいて、前記発電・蓄電情報を提示するように前記提示部を制御する提示制御部をさらに備えている。【００１７】
本明細書で開示する技術の第５の側面によれば、第４の側面に係る情報伝送装置の前記提示制御部は、受信したメッセージが発電情報及び蓄電情報を含む場合には発電情報及び蓄電情報を前記提示部で提示し、発電情報のみを含む場合には発電情報を前記提示部で提示し、蓄電情報のみを含む場合には蓄電情報を前記提示部で提示するように構成されている。【００１８】
本明細書で開示する技術の第６の側面によれば、第４の側面に係る情報伝送装置の前記提示制御部は、複数の発電・蓄電情報を受信したときには、合算して前記提示部で提示するように構成されている。【００１９】
本明細書で開示する技術の第７の側面によれば、第４の側面に係る情報伝送装置の前記提示制御部は、複数の発電・蓄電情報を受信したときには、各発電・蓄電情報を最大乃至規定の発電電力又は、発電電力量乃至充電容量で正規化して、前記提示部で提示するように構成されている。【００２０】
本明細書で開示する技術の第８の側面によれば、第４の側面に係る情報伝送装置の前記提示制御部は、複数の発電・蓄電情報を受信したときには、各発電・蓄電情報の一覧を提示し、又は、選択して提示するように構成されている。【００２１】
また、本明細書で開示する技術の第９の側面は、
発電部又は蓄電部における発電・蓄電情報を取得する情報取得ステップと、
前記発電・蓄電情報を含んだ前記所定フォーマットのメッセージを生成するメッセージ生成ステップと、
メッセージを送信する通信ステップと、
を有する情報伝送方法である。【００２２】
また、本明細書で開示する技術の第１０の側面は、
発電部又は蓄電部における発電・蓄電情報を含んだ所定フォーマットのメッセージを受信する通信ステップと、
受信したメッセージを解析する情報解析ステップと、
を有する情報伝送方法である。
【発明の効果】
【００２３】
本明細書で開示する技術によれば、発電又は蓄電に関する情報を好適に伝送することができる、優れた情報伝送装置及び情報伝送方法置を提供することができる。【００２４】
なお、本明細書に記載された効果は、あくまでも例示であり、本発明の効果はこれに限定されるものではない。また、本発明が、上記の効果以外に、さらに付加的な効果を奏する場合もある。【００２５】
本明細書で開示する技術のさらに他の目的、特徴や利点は、後述する実施形態や添付する図面に基づくより詳細な説明によって明らかになるであろう。
【図面の簡単な説明】
【００２６】
【図１】図１は、本明細書で開示する技術を適用した情報伝送システム１００の構成例を模式的に示した図である。
【図２】図２は、情報送信装置２００の機能的構成を模式的に示した図である。
【図３】図３は、情報受信装置３００の機能的構成を模式的に示した図である。
【図４】図４は、情報送信装置２００の通信部２０５と、情報受信装置３００の通信部３０１間のメッセージの種類と方向を例示した図である。
【図５】図５は、メッセージ４０１〜４０６に共通のフォーマット例を示した図である。
【図６】図６は、カテゴリー・データ部５０４の構造を示した図である。
【図７】図７は、情報受信装置３００における処理動作の一例を示したフローチャートである。
【図８】図８は、情報受信装置３００における処理動作の他の例を示したフローチャートである。
【図９】図９は、情報受信装置３００における処理動作のさらに他の例を示したフローチャートである。
【図１０】図１０は、情報伝送システム１００の具体例を示した図である。
【図１１】図１１は、図１０に示した情報伝送システム１００の機能的構成を示した図である。
【図１２】図１２は、ヘッド・マウント・ディスプレイの内部構成例を示した図である。
【発明を実施するための形態】
【００２７】
以下、図面を参照しながら本明細書で開示する技術の実施形態について詳細に説明する。
【００２８】
図１には、本明細書で開示する技術を適用した情報伝送システム１００の構成例を模式的に示している。図示の情報伝送システム１００は、発電又は蓄電に関する情報を送信する情報送信装置２００と、発電又は蓄電に関する情報を受信する情報受信装置３００で構成される。
【００２９】
情報送信装置２００は、携帯型の電子機器など商用電源を利用できないアウトドア・ユースの各種の装置に接続し得る、種々ある発電デバイスや蓄電デバイスであり、例えば靴発電や環境発電などを行なう発電装置又は蓄電装置である。
【００３０】
また、情報受信装置３００は、発電又は蓄電された電気エネルギーを消費する情報機器である。情報機器は、携帯型の電子機器など商用電源を利用できないアウトドア・ユースの各種の装置であり、具体的には、ヘッド・マウント・ディスプレイや、スマートフォン又はタブレットなどの多機能携帯端末、パーソナル・コンピューター、ディジタルカメラ、ディジタルビデオカメラ、電子書籍、携帯型音楽プレイヤー、ゲーム機、時計、時計型電子機器、スポーツ・センサー、乃至それらのコントローラーなどを挙げることができる。
【００３１】
情報送信装置２００と情報受信装置３００は、伝送路１０１を介して相互接続されている。伝送路１０１に適用される通信インターフェース方式は、有線、無線のいずれの形態であってもよい。ここで言う通信規格として、ＭＨＬ（Ｍｏｂｉｌｅ  Ｈｉｇｈ−ｄｅｆｉｎｉｔｉｏｎ  Ｌｉｎｋ）やＵＳＢ（Ｕｎｉｖｅｒｓａｌ  Ｓｅｒｉａｌ  Ｂｕｓ）、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）、Ｗｉ−Ｆｉ（登録商標）、Ｂｌｕｅｔｏｏｔｈ（登録商標）通信やＢＬＥ（Ｂｌｕｅｔｏｏｔｈ（登録商標）  Ｌｏｗ  Ｅｎｅｒｇｙ）通信、ＡＮＴ、ＥｎＯｃｅａｎ（登録商標）  Ａｌｌｉａｎｃｅなどの超低消費電力無線通信、ＵＡＲＴなどの赤外線通信、人体通信、導電性繊維を介した信号伝送などを挙げることができる。
【００３２】
なお、図１では、図面の簡素化のため、情報送信装置２００と情報受信装置３００をそれぞれ１台ずつしか描いていないが、１台の情報受信装置３００が複数の情報送信装置２００（すなわち、複数の発電装置、蓄電装置）と発電又は蓄電に関する情報を送受信するという使用態様も想定される。
【００３３】
図２には、情報送信装置２００の機能的構成を模式的に示している。図示の情報送信装置２００は、発電部２０１と、蓄電部２０２と、モニタリング部２０３と、情報生成部２０４と、通信部２０５を備えている。
【００３４】
発電部２０１は、運動エネルギーによる発電、あるいは、光や電波などの電磁波、振動、熱などをエネルギー源として環境発電を行ない、得られた電気エネルギーを蓄電部２０２に蓄積する。但し、発電部２０１が発電を行なう原理は特に限定されない。発電デバイスには、太陽電池、運動発電、電磁誘導発電、静電誘導発電、圧電発電、逆磁歪発電など、多種多様にある。また、太陽電池だけでも、Ｓｉ系太陽電池、ＣｄＴｅ携帯用電池、色素増感型太陽電池、硫化鉄系太陽電池、紫外光太陽電池、赤外光太陽電池などがある。また、蓄電部２０２として、リチウムイオン電池、ニッケル水素電池、リチウムイオンキャパシタ、電気二重層コンデンサー、全固体電池、空気電池やその組み合わせなどを利用することができるが、蓄電部２０２の構成は特に限定されない。
【００３５】
モニタリング部２０３は、発電部２０１における発電効率やその他の発電状況などを監視したり、蓄電部２０２における残存容量や蓄電効率、その他の蓄電状況などを監視したりしている。
【００３６】
情報生成部２０４は、モニタリング部２０３による発電部２０１又は蓄電部２０２のモニタリング結果などに基づいて、情報受信装置３００に送信する伝送情報を生成して、パケッタイズする。
【００３７】
通信部２０５は、情報受信装置３００への送信情報信号を、符号化並びに変調して、伝送路１０１に送出する。
【００３８】
また、図３には、情報受信装置３００の機能的構成を模式的に示している。図示の情報受信装置３００は、通信部３０１と、情報解析部３０２と、提示制御部３０３と、提示部３０４を備えている。
【００３９】
通信部３０１は、伝送路１０１を介して情報送信装置２００から送信された情報信号を受信すると、復調並びに復号する。
【００４０】
情報解析部３０２は、通信部３０１での受信信号をデパケッタイズして、元の送信情報を再現し、その内容を解析する。本実施例では、情報解析部３０２は、発電・蓄電部２０１における発電効率やその他の発電状況、２次電池２０２における残存容量や蓄電効率、その他の蓄電状況などを、受信情報の解析結果として得ることができる。
【００４１】
提示部３０４は、表示パネルや、スピーカーなどの音声出力部からなる。提示制御部３０３は、情報解析部３０２で得られた発電部２０１における発電効率やその他の発電状況、蓄電部２０２における残存容量や蓄電効率、その他の蓄電状況などを、提示部３０４で画像又は音声で提示するための処理を実行する。
【００４２】
情報送信装置２００の通信部２０５と、情報受信装置３００の通信部３０１は、伝送路１０１を介して、所定の通信インターフェース方式によって相互接続されている。図４には、情報送信装置２００の通信部２０５と、情報受信装置３００の通信部３０１間のメッセージの種類と方向を例示している。
【００４３】
情報送信装置２００の通信部２０５から情報受信装置３００の通信部３０１へのメッセージは、図４中の参照番号４０１〜４０３で示すように、コマンド、データ転送のための通信、状態変化を通知するイベントの３種類がある。
【００４４】
また、情報受信装置３００の通信部３０１から情報送信装置２００の通信部２０５へのメッセージは、図４中の参照番号４０４〜４０６で示すように、データ転送のための通信、コマンド、状態を問い合わせるイベントの３種類がある。
【００４５】
図５には、メッセージ４０１〜４０６に共通のフォーマット例を示している。図示のメッセージ・フォーマットは、ヘッダー部５０１と、バージョン情報部５０２と、カテゴリー情報部５０３と、可変長のカテゴリー・データ部５０４を含み、メッセージの最後尾に１バイトのチェック・サム５０５が付加される。
【００４６】
情報送信装置２００側の通信部２０５からは、データ転送のための通信メッセージ４０５を使って、モニタリング部２０３が発電部２０１や蓄電部２０２をモニタリングして得た発電・蓄電情報などを伝送する。具体的には、発電部２０１で利用する発電機の種類、蓄電部２０２で使用するバッテリーの種類、発電の有無、累積発電量、単位時間当たりの発電量、蓄電部２０２の最大充電容量、蓄電素子の残存容量などの情報を、カテゴリー・データ部５０４に格納して伝送する。
【００４７】
図５に示すようにメッセージのフォーマットを規定することによって、情報送信装置２００と情報受信装置３００の間でメーカーの相違や製品の相違、機種の相違があっても、データの共有が容易になる。
【００４８】
また、発電又は蓄電された電気エネルギーを消費する情報受信装置３００は、健康や運動、エンターテイメント、産業用途などさまざまな業種にまたがった製品であることが想定されるが、上記のようにメッセージのフォーマットを規定することによって、データの共有が容易になる。
【００４９】
１バイト長のカテゴリー情報部５０３の上位２ビットを使用して、以下の表１に示すように、発電又は蓄電の状況を記載する。また、カテゴリー情報部５０３の下位６ビットを用いて、発電部２０１の属性情報（発電機種別、名前、装着など）や蓄電部２０２の属性情報を記載する。
【００５０】
【表１】
2016047228.tif 000003
【００５１】
図６には、カテゴリー・データ部５０４の構造を示している。カテゴリー・データ部５０４は可変長のフィールドであり、先頭の１バイト（メッセージの先頭の５バイト目）のデータ長部（Ｌｅｎｇｔｈ  ｏｆ  ｄａｔａ）６０１を使用して、以降に続くデータ部６０２のバイト数（６バイトから（ｎ−１）バイトまで）を記載する。
【００５２】
情報送信装置２００側の通信部２０５からモニタリング部２０３が発電部２０１や蓄電部２０２をモニタリングして得た発電・蓄電情報などを伝送するデータ転送のための通信メッセージの場合、６バイトから（ｎ−１）バイトまでのデータ部６０２には、発電・蓄電情報が記載される。具体的には、発電・蓄電情報の伝送方式、累積発電量（発電有りの場合、累積スタートを固定にするか、可変にするかがある）、単位時間当たりの発電量（発電有りの場合）、最大充電容量、充電残量（絶対量による充電残量の表示、又は百分率による充電残量の表示）を記載する。なお、データ部６０２は発電・蓄電情報として、その一部を発電・蓄電に関する発電素子・蓄電素子・モニタリング回路以外の信号源からの情報を記録する領域としても使用してもよい。すなわち、例えば本システムとは別個に設けられた例えば地磁気やＧＰＳなど位置を検出するセンサーからの信号情報を記録する。これにより発電又は蓄電を行なった地域・場所・姿勢など発電・蓄電時の周囲環境を示す情報として同時に記録してもよい。なお、本例は場所・位置・姿勢を検知するセンサーに限ったものではなく、温度、湿度、電波強度、照度、化学物質（濃度・種類・状態など）、振動周波数、加速度、力などを検出するセンサーからの信号乃至それら信号の複合情報であっても構わない。
【００５３】
情報送信装置２００側では、情報生成部２０４が、モニタリング部２０３による発電部２０１又は蓄電部２０２のモニタリング結果などに基づいて、図５並びに図６に示したフォーマットに従って、メッセージを生成し、通信部２０５から情報受信装置３００に送信する。
【００５４】
情報受信装置３００側では、通信部３０１で情報送信装置２００からのメッセージを受信すると、情報解析部３０２がメッセージの内容を解析する。そして、提示制御部３０３は、情報解析部３０２で得られた発電部２０１における発電効率やその他の発電状況、蓄電部２０２における残存容量や蓄電効率、その他の蓄電状況などを、提示部３０４で画像又は音声で提示するための処理を実行する。
【００５５】
図７には、情報受信装置３００における処理動作の一例をフローチャートの形式で示している。
【００５６】
通信部３０１で、情報送信装置２００からのメッセージを受信すると、復号並びに復調処理が行なわれる（ステップＳ７０１）。
【００５７】
次いで、情報解析部３０２は、メッセージのフォーマットを解析して（ステップＳ７０２）、カテゴリー情報部５０３を参照して、メッセージに発電情報があるか否か（言い換えれば、メッセージの送信元の情報送信装置２００が発電デバイスか否か）をチェックする（ステップＳ７０３）。
【００５８】
メッセージに発電情報がある場合には（ステップＳ７０３のＹｅｓ）、さらに、蓄電情報があるか否かをチェックする（ステップＳ７０４）。そして、蓄電情報がある場合には（ステップＳ７０４のＹｅｓ）、発電情報と蓄電情報をともに提示部３０４で提示するように、提示制御部３０３に指示する（ステップＳ７０５）。また、蓄電情報を含まない場合には（ステップＳ７０４のＮｏ）、発電情報のみを提示部３０４で提示するように、提示制御部３０３に指示する（ステップＳ７０６）。
【００５９】
一方、メッセージに発電情報がない場合には（ステップＳ７０３のＮｏ）、さらに、蓄電情報があるか否かをチェックする（ステップＳ７０７）。そして、蓄電情報がある場合には（ステップＳ７０７のＹｅｓ）、蓄電情報を提示部３０４で提示するように、提示制御部３０３に指示する（ステップＳ７０８）。また、蓄電情報を含まない場合には（ステップＳ７０７のＮｏ）、エラー情報を提示部３０４で提示するように、提示制御部３０３に指示する（ステップＳ７０９）。
【００６０】
図８には、情報受信装置３００における処理動作の他の例をフローチャートの形式で示している。図７に示した処理動作では、単一のメッセージを受信する場合のみを想定している。これに対し、図８に示す処理動作では、複数の情報送信装置２００（すなわち、複数の発電デバイス又は蓄電デバイス）から複数のメッセージを同時に受信する場合も想定している。
【００６１】
通信部３０１で、情報送信装置２００からのメッセージを受信すると（ステップＳ８０１）、復号並びに復調処理が行なわれ、情報解析部３０２でメッセージのフォーマットを解析する（ステップＳ８０２）。
【００６２】
ここで、発電データ又は蓄電データが複数存在するかどうかをチェックする（ステップＳ８０３）。
【００６３】
発電データ又は蓄電データが１つしか存在しない場合には（ステップＳ８０３のＮｏ）、単一の発電／蓄電データの提示処理を実行する（ステップＳ８０８）。単一の発電／蓄電データの提示処理は、図７のステップＳ７０３以降の処理手順に準じるものとし、ここでは詳細な説明を省略する。
【００６４】
一方、発電データ又は蓄電データが複数存在する場合には（ステップＳ８０３のＹｅｓ）、続いて、当該情報受信装置３００の提示部３０４では複数の発電データ又は蓄電データを提示することが可能かどうかをチェックする（ステップＳ８０４）。
【００６５】
当該情報受信装置３００の提示部３０４では複数の発電データ又は蓄電データを提示することができない場合には（ステップＳ８０４のＮｏ）、すべての発電データ又は蓄電データの値を合算して、その結果を提示部３０４で提示する（ステップＳ８０９）。
【００６６】
また、当該情報受信装置３００の提示部３０４では複数の発電データ又は蓄電データを提示することが可能である場合には（ステップＳ８０４のＹｅｓ）、各発電データ又は蓄電データの値を最大乃至規定の発電電力又は、発電電力量乃至充電容量で正規化する（ステップＳ８０５）。
【００６７】
そして、すべての発電データ又は蓄電データを一覧表示する場合には（ステップＳ８０６のＹｅｓ）、提示部３０４で、合算した発電データ又は蓄電データを表示するとともに、正規化した個別の発電データ又は蓄電データを一覧表示する（ステップＳ８０７）。また、すべての発電データ又は蓄電データを一覧表示しない場合には（ステップＳ８０６のＮｏ）、提示部３０４で、合算した発電データ又は蓄電データを提示するとともに、正規化した個別の発電データ又は蓄電データのいずれかを選択して提示する（ステップＳ８１０）。
【００６８】
図９には、情報受信装置３００における処理動作のさらに他の例をフローチャートの形式で示している。図７並びに図８に示した処理動作では、情報送信装置２００からはデフォルトの伝送方式でメッセージが送信される場合のみを想定している。これに対し、図９に示す処理動作では、情報送信装置２００からさまざまな伝送方式でメッセージが送信される場合も想定している。
【００６９】
通信部３０１で、情報送信装置２００からのメッセージを受信すると（ステップＳ９０１）、復号並びに復調処理が行なわれ、情報解析部３０２でメッセージのフォーマットを解析する（ステップＳ９０２）。
【００７０】
ここで、メッセージがデフォルトの伝送方式と異なるかどうかをチェックする（ステップＳ９０３）。
【００７１】
メッセージがデフォルトの伝送方式と同じである場合には（ステップＳ９０３のＮｏ）、通常の発電データ又は蓄電データの提示処理を実行する（ステップＳ９０６）。通常の発電データ又は蓄電データの提示処理は、図７のステップＳ７０３以降、又は、図８のステップＳ８０３以降の処理手順に準じるものとし、ここでは詳細な説明を省略する。
【００７２】
一方、メッセージがデフォルトの伝送方式と異なる場合には（ステップＳ９０３のＹｅｓ）、通常の発電データ又は蓄電データにデータ変換して（ステップＳ９０４）、提示部３０４で、データ変換後の通常の発電データ又は蓄電データで提示を行なう（ステップＳ９０５）。
【実施例】
【００７３】
図１０には、情報伝送システム１００の具体例を示している。図示の情報伝送システム１００は、情報送信装置に相当する発電装置と、情報受信装置に相当するヘッド・マウント・ディスプレイで構成される。発電装置は、ユーザーが左右の足にそれぞれ履いた靴１００１、１００２に設置された２台の発電装置１０２０、１０３０である。また、ヘッド・マウント・ディスプレイは、ユーザーが頭部又は顔部に装着して用いる画像表示装置１０１０である。なお、図１０では、ユーザーの両足に履いた靴１００１、１００２の両方に発電装置１０２０、１０３０を設置した実施例を示したが、勿論、左右いずれか一方の足に履いた靴にのみ発電装置を設置した実施例もあり得る。また、ユーザーの左右少なくとも一方の足が義足の場合には、義足に履いた靴又は義足そのものに発電装置を設置するという実施例もあり得る。【００７４】
各発電装置１０２０、１０３０は、それぞれ発電部と蓄電素子と通信部を備えている（いずれも図示を省略）。発電部は、振動により発電を行なう振動又は運動発電機（静電型、電磁型、逆磁歪型、圧電型）、又は、温度差により発電を行なう熱電変換素子からなり、本実施例ではユーザーの足の運動に応じた発電を行なう。蓄電素子は、例えばキャパシター、２次電池、ぜんまい、蓄熱材料などからなり、発電部が発電により得た電力を蓄電し又はエネルギーとして蓄積する。通信部は、発電部における発電量や蓄電量を含む１次情報を、画像表示装置１０１０に送信する。通信部は、常時動作して１次情報をリアルタイムで転送するようにしても、あるいは間欠動作して１次情報を転送するようにしてもよい。また、左右の発電装置１０２０、１０３０間で直接データ授受を行なうようにしてもよいし、発電装置１０２０、１０３０のいずれか一方が両方の発電量をまとめて１つの１次情報として画像表示装置１０１０に一括転送するようにしてもよい。【００７５】
一方、画像表示装置１０１０は、ユーザーの左右の眼にそれぞれ左眼用画像及び右眼用画像を提示する２つの表示部１０１１、１０１２を備えている。画像表示装置１０１０は、各発電装置１０２０、１０３０から受け取った発電量や蓄電量などの１次情報を、左右の表示部１０１１、１０１２の少なくとも一方に表示する。例えば、左足の靴に設置した発電装置１０２０における発電量を左眼用の表示部１０１１に表示し、右足の靴に設置した発電装置１０３０における発電量を右眼用表示部１０１２に、それぞれ表示するようにしてもよい【００７６】
図１１には、図１０に示した情報伝送システム１００の機能的構成を示している。但し、図面の簡素化のため、１台の発電装置１０２０しか描いていない。【００７７】
発電装置１０２０は、発電部１０２１と、整流回路部１０２２と、レギュレーター１０２３と、電源プラグ部１０２４と、演算部１０２５と、通信部１０２６と、状態検出部１０２７と、蓄電素子１０２８を備えている。【００７８】
発電部１０２１は、振動により発電を行なう振動又は運動発電機（静電型、電磁型、逆磁歪型、圧電型）、太陽光により発電を行なう太陽電池発電素子、紫外線により発電を行なう紫外線発電素子、赤外線により発電を行なう赤外線発電素子、温度差により発電を行なう熱電変換素子（ゼーベック効果、トムソン効果などによる発電、熱電子素子、焦電効果による発電、熱磁気発電などを含む）、人などの生物の発汗により発電する酵素電池（酵素反応を利用して発電を歩行なう発電素子）、イオン濃度差による発電素子、放射線により発電する発電素子、電波（遠方電磁界）を利用して電力を誘起する電波発電素子、電磁誘導並びに静電誘導を含む近傍域における電磁界により電力を誘起する近傍電磁界利用発電素子、又は磁界共鳴、電磁誘導、電界結合を利用した電力伝送装置などで構成される。【００７９】
整流回路部１０２２は、発電部１０２１で発生した電流を整流する。また、レギュレーター１０２３は、整流した後の電圧が蓄電に適したレベルとなるように昇圧又は降圧する。そして、得られた直流電圧が蓄電素子１０２８に供給され、蓄電が行なわれる。また、発電により電力を得る発電部１０２１の代替手段として、電源プラグ部１０２４を介して商用電源から得られる電力を用いて、蓄電素子１０２８の蓄電を行なうようにしてもよい。蓄電素子１０２８は、例えばキャパシター、２次電池、ぜんまい、蓄熱材料などからなり、発電部１０２１で発生した電力を蓄電し又はエネルギーとして蓄積する。【００８０】
また、発電装置１０２０は、任意の構成要素として、状態検出部１０２７を備えていてもよい。状態検出部１０２７は、ジャイロ・センサーや加速度センサー、速度センサー、ＧＰＳセンサー、温度センサー、湿度センサー、放射線センサー、照度センサー、赤外線センサー、圧力センサー、地磁気センサー、ドップラー・センサー、ガス・センサー、カメラなどを備え、発電装置１０２０の姿勢や位置、周囲環境などの状態情報を取得する。【００８１】
演算部１０２５は、蓄電素子１０２８の充放電制御を行なう。また、演算部１０２５は、蓄電素子１０２８の蓄電量を、蓄電素子１０２８の両端電圧乃至充電電流などによりモニターする。また、演算部１０２５は、蓄電量のモニタリングとともに、蓄電素子１０２８の蓄電量が閾値以下か否か、蓄電素子１０２８が満充電か否かを検出したり、蓄電素子１０２８が満充電に到達するまでの予測時間を計算したりする。また、演算部１０２５は、整流回路部１０２２内のコンデンサー（図示しない）両端の電圧変化をモニターすることによって、発電装置１０２０の発電量をモニターするようにしてもよい。【００８２】
通信部１０２６は、画像表示装置１０１０側とデータ通信を行なう。例えば、演算部１０２５で取得した蓄電量や発電量などの発電に関する基礎データである１次情報を所定のフォーマット（前述）で記述して、通信部１０２６を介して画像表示装置１０１０に送信する。送信する情報には、蓄電量や発電量に関する１次情報の他に、蓄電素子１０２８が満充電に到達するまでの予測時間を含めることができる。また、必要に応じて、状態検出部１０２７が検出した状態情報を、通信部１０２６を介して画像表示装置１０１０に送信する。【００８３】
一方、画像表示装置１０１０側では、電源部１１０１は、２次電池などで構成され、画像表示装置１０１０内の各部に駆動電力を供給する。電源部１１０１の２次電池は、例えば蓄電素子１０２８としての２次電池と互換性がある。【００８４】
電源管理部１１０２は、画像表示装置１０１０内の電源管理を行なう。例えば、電源管理部１１０２は、電源部１１０１に用いられる２次電池の残容量やオペレーション時間、使用中の２次電池の交換時期を管理する。【００８５】
演算部１１０３は、通信部１２０５を介して発電装置１０２１０から受け取った発電に関する基礎データである１次情報を演算処理して、処理結果の表示部１２０９への表示出力を制御する。【００８６】
演算部１１０３は、例えば発電情報処理プログラムを実行しており、発電装置１０２０側から得られる１次情報である発電量を、発電部が電力を誘起する原理に基づいて、ユーザーの運動量などのユーザー・モニタリング情報や、紫外線強度、電波強度といった環境モニタリング情報などの２次情報に換算する。そして、表示部１２０９や外側表示部１２１５に表示出力して、２次情報を表示することで、ユーザー自身のモニタリングや、周囲環境のモニタリングを実現する。【００８７】
演算部１１０３は、発電量の換算演算などを行なう際に、姿勢・位置検出部１２０４や状態検出部１２１１、環境センサー１２１６による検出情報を利用する。また、外側カメラ１２１２の撮影画像を適宜入力して、モニタリング情報の表示処理に利用するようにしてもよい。【００８８】
また、演算部１１０３は、発電装置１０２０から受け取った発電量などの１次情報や、１次情報から換算したユーザー・モニタリング情報又は環境モニタリング情報などの２次情報、表示部１２０９又は外側表示部１２１５に表示出力した１次情報又は２次情報の表示画像などを、必要に応じて記憶部１２０６などに保存したり、通信部１２０５を介して外部に転送したりするようにしてもよい。【００８９】
また、演算部１１０３は、表示部１２０９と同じ表示画像を、外側表示部１２１５にも表示して、発電装置１０２０から受け取った発電量などの１次情報や、１次情報から換算したユーザー・モニタリング情報や環境モニタリング情報などの２次情報を、ユーザーの周囲にいる人にも提示（公開）するようにしてもよい。【００９０】
図１２には、画像表示装置１０１０としてのヘッド・マウント・ディスプレイの内部構成例を示している。【００９１】
制御部１２０１は、ＲＯＭ（Ｒｅａｄ  Ｏｎｌｙ  Ｍｅｍｏｒｙ）１２０１ＡやＲＡＭ（Ｒａｎｄｏｍ  Ａｃｃｅｓｓ  Ｍｅｍｏｒｙ）１２０１Ｂを備えている。ＲＯＭ１２０１Ａ内には、制御部１２０１で実行するプログラム・コードや各種データを格納している。制御部１２０１は、ＲＡＭ１２０１Ｂへロードしたプログラムを実行することで、画像の表示制御を始め、画像表示装置１０１０全体の動作を統括的にコントロールする。画像表示装置１０１０外に設置された発電装置（前述）から取得した情報を処理するプログラム、当該装置１０１０に固有の識別情報などを挙げることができる。【００９２】
入力操作部１２０２は、キーやボタン、スイッチなど、ユーザーが入力操作を行なう１以上の操作子を備え、操作子を介したユーザーの指示を受け付けて、制御部１２０１に出力する。また、入力操作部１２０２は、リモコン受信部１２０３で受信したリモコン・コマンドからなるユーザーの指示を同様に受け付けて、制御部１２０１に出力する。【００９３】
姿勢・位置検出部１２０４は、当該画像処理装置１０１０を装着したユーザーの頭部の姿勢や位置を検出するユニットである。姿勢・位置検出部１２０４は、ジャイロ・センサー、加速度センサー、ＧＰＳ（Ｇｌｏｂａｌ  Ｐｏｓｉｔｉｏｎｉｎｇ  Ｓｙｓｔｅｍ）センサー、地磁気センサー、ドップラー・センサー、赤外線センサー、電波強度センサーなどのいずれか１つ、又は、各センサーの長所及び短所を考慮して２以上のセンサーの組み合わせにより構成される。【００９４】
状態検出部１２１１は、当該画像表示装置１０１０を装着したユーザーの状態に関する状態情報を取得して、制御部１２０１に出力する。状態情報として、例えば、ユーザーの作業状態（画像表示装置１０１０の装着の有無）や、ユーザーの行動状態（静止、歩行、走行などの移動状態、瞼の開閉状態、視線方向、瞳孔の大小）、精神状態（ユーザーが表示画像を観察中に没頭若しくは集中しているかなどの感動度、興奮度、覚醒度、感情や情動など）、さらには生理状態を取得する。また、状態検出部１２１１は、これらの状態情報をユーザーから取得するために、機械スイッチなどからなる装着センサーや、ユーザーの顔を撮影する内側カメラ、ジャイロ・センサー、加速度センサー、速度センサー、圧力センサー、体温センサー、発汗センサー、筋電位センサー、眼電位センサー、脳波センサー、呼気センサー、ガス・センサー、イオン濃度センサーなどの各種の状態センサー（いずれも図示しない）を備えていてもよい。【００９５】
環境センサー１２１６は、当該画像表示装置１０１０の環境に関する情報を計測する各種センサーからなる。例えば、後述する加速度センサーや、電磁波センサー、地磁気センサー、水流センサー、気流センサー、光センサー、温度センサー、照度センサーなどが環境センサー１２１６に含まれる。【００９６】
外側カメラ１２１２は、例えば眼鏡形状をした画像表示装置１０１０本体前面のほぼ中央に配置され、周囲画像を撮影することができる。また、状態検出部１２１１で検出したユーザーの視線方向に合わせて外側カメラ１２１２のパン、チルト、ロール方向の姿勢制御を行なうことで、外側カメラ１２１２でユーザーの自分目線の画像すなわちユーザーの視線方向の画像を撮影することができる。視差情報を利用して、周囲画像の３次元情報を取得できるように、外側カメラ１２１２を複数台のカメラで構成することがより好ましい。ユーザーは、入力操作部１２０２の操作、内部カメラ（図示しない）の撮影画像などに基づいて認識される瞳孔の大小、あるいは音声を通じて入力される指示に従って、外側カメラ５１２のズームを調整することができるものとする。外側カメラ１２１２の撮影画像を、表示部１２０９に表示出力することができ、また、記憶部１２０６に格納することもできる。【００９７】
通信部１２０５は、発電装置（前述）などの外部機器との通信処理、並びに通信信号の変復調並びに符号化復号処理を行なう。また、制御部１２０１は、外部機器への送信データを通信部１２０５から送出する。【００９８】
記憶部１２０６は、ＳＳＤ（Ｓｏｌｉｄ  Ｓｔａｔｅ  Ｄｒｉｖｅ）などで構成される大容量記憶装置である。記憶部１２０６は、制御部１２０１で実行するアプリケーション・プログラムや各種データを記憶している。記憶するデータとして、外側カメラ１２１２（後述）による撮影画像や、表示部１２０９（後述）で再生表示する画像コンテンツ、発電装置（前述）から受信した情報などを挙げることができる。【００９９】
画像処理部１２０７は、制御部１２０１から出力される画像信号に対して画質補正などの信号処理をさらに行なうとともに、表示部１２０９の画面に合わせた解像度に変換する。そして、表示駆動部１２０８は、表示部１２０９の画素を行毎に順次選択するとともに線順次走査して、信号処理された画像信号に基づく画素信号を供給する。【０１００】
表示部１２０９は、例えば有機ＥＬ（Ｅｌｅｃｔｒｏ−Ｌｕｍｉｎｅｓｃｅｎｃｅ）素子や液晶ディスプレイなどのマイクロ・ディスプレイ、あるいは、網膜直描ディスプレイなどのレーザー走査方式ディスプレイで構成される表示パネルを有する。虚像光学部１２１０は、表示部１２０９の表示画像を拡大投影して、ユーザーには拡大虚像として観察させる。【０１０１】
外側表示部１２１５は、表示画面が画像表示装置１０１０の外側（装着したユーザーの顔とは反対の方向）に向けられており、表示部１２０９と同じ画像又は異なる画像を、他のユーザーに表示することができる（例えば、特許文献８を参照のこと）。【０１０２】
音声処理部１２１３は、制御部１２０１から出力される音声信号に対して音質補正や音声増幅、入力された音声信号などの信号処理をさらに行なう。そして、音声入出力部１２１４は、音声処理後の音声を外部出力、並びにマイクロフォン（前述）からの音声入力を行なう。
【産業上の利用可能性】
【０１０３】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。【０１０４】
本明細書で開示する技術は、携帯型の電子機器など商用電源を利用できないアウトドア・ユースの各種の装置に接続し得る、種々ある発電デバイスや蓄電デバイスに対して、発電効率やその他の発電状況、２次電池における残存容量や蓄電効率、その他の蓄電状況に関する情報を伝達するメッセージの統一的なフォーマットを提供するものである。したがって、発電デバイスや蓄電デバイスからの電力を利用する電子機器側では、いずれの発電デバイスや蓄電デバイスからもメッセージを受信して、その内容を解析することができ、さらにユーザーに提示することができる。【０１０５】
また、発電デバイスや蓄電デバイスからの電力を利用する電子機器として、ヘッド・マウント・ディスプレイや、スマートフォン又はタブレットなどの多機能携帯端末、パーソナル・コンピューター、ディジタルカメラ、ディジタルビデオカメラ、電子書籍、携帯型音楽プレイヤー、ゲーム機、時計、時計型電子機器、スポーツ・センサー、乃至それらのコントローラーなどを挙げたが、さらに、電動２輪や電気自動車、ハイブリッド車など電力を利用するさまざまな移動体装置にも、本明細書で開示する技術を適用することができる。【０１０６】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。【０１０７】
なお、本明細書の開示の技術は、以下のような構成をとることも可能である。
（１）発電部又は蓄電部における発電・蓄電情報を取得する情報取得部と、
前記発電・蓄電情報を含んだ前記所定フォーマットのメッセージを生成するメッセージ生成部と、
メッセージを送信する通信部と、
を具備する情報伝送装置。
（２）発電部又は蓄電部をさらに備え、
前記情報取得部は、前記発電部又は前記蓄電部をモニタリングして発電・蓄電情報を取得する、
上記（１）に記載の情報伝送装置。
（３）発電部又は蓄電部における発電・蓄電情報を含んだ所定フォーマットのメッセージを受信する通信部と、
受信したメッセージを解析する情報解析部と、
を具備する情報伝送装置。
（４）提示部と、
前記情報解析部における解析結果に基づいて、前記発電・蓄電情報を提示するように前記提示部を制御する提示制御部と、
をさらに備える上記（３）に記載の情報伝送装置。
（５）前記提示制御部は、受信したメッセージが発電情報及び蓄電情報を含む場合には発電情報及び蓄電情報を前記提示部で提示し、発電情報のみを含む場合には発電情報を前記提示部で提示し、蓄電情報のみを含む場合には蓄電情報を前記提示部で提示する、
上記（４）に記載の情報伝送装置。
（６）前記提示制御部は、複数の発電・蓄電情報を受信したときには、合算して前記提示部で提示する、
上記（４）に記載の情報伝送装置。
（７）前記提示制御部は、複数の発電・蓄電情報を受信したときには、各発電・蓄電情報を最大乃至規定の発電電力又は、発電電力量乃至充電容量で正規化して、前記提示部で提示する、
上記（４）に記載の情報伝送装置。
（８）前記提示制御部は、複数の発電・蓄電情報を受信したときには、各発電・蓄電情報の一覧を提示し、又は、選択して提示する、
上記（４）に記載の情報伝送装置。
（９）発電部又は蓄電部における発電・蓄電情報を取得する情報取得ステップと、
前記発電・蓄電情報を含んだ前記所定フォーマットのメッセージを生成するメッセージ生成ステップと、
メッセージを送信する通信ステップと、
を有する情報伝送方法。
（１０）発電部又は蓄電部における発電・蓄電情報を含んだ所定フォーマットのメッセージを受信する通信ステップと、
受信したメッセージを解析する情報解析ステップと、
を有する情報伝送方法。
【符号の説明】
【０１０８】
１００…情報伝送システム
２００…情報送信装置、２０１…発電部、２０２…蓄電部
２０３…モニタリング部、２０４…情報生成部
２０５…通信部
３００…情報受信装置、３０１…通信部、３０２…情報解析部
３０３…提示制御部、３０４…提示部
１００１、１００２…靴
１０１０…画像表示装置（ヘッド・マウント・ディスプレイ）
１０１１、１０１２…表示部、１０２０、１０３０…発電装置
１０２１…発電部、１０２２…整流回路部
１０２３…レギュレーター、１０２４…電源プラグ部
１０２５…演算部、１０２６…通信部
１０２７…状態検出部、１０２８…蓄電素子
１１０１…電源部、１１０２…電源管理部、１１０３…演算部
１２０１…制御部、１２０１Ａ…ＲＯＭ、１２０１Ｂ…ＲＡＭ
１２０２…入力操作部、１２０３…リモコン受信部
１２０４…姿勢・位置検出部、１２０５…通信部
１２０６…記憶部、１２０７…画像処理部
１２０８…表示駆動部、１２０９…表示部
１２１０…虚像光学部、１２１１…状態検出部
１２１２…外側カメラ、１２１３…音声処理部
１２１４…音声入出力部、１２１５…外側表示部
１２１６…環境センサー
【図１】
2016047228.tif 000004
【図２】
2016047228.tif 000005
【図３】
2016047228.tif 000006
【図４】
2016047228.tif 000007
【図５】
2016047228.tif 000008
【図６】
2016047228.tif 000009
【図７】
2016047228.tif 000010
【図８】
2016047228.tif 000011
【図９】
2016047228.tif 000012
【図１０】
2016047228.tif 000013
【図１１】
2016047228.tif 000014
【図１２】
2016047228.tif 000015
【国際調査報告】
2016047228.tif 000016
2016047228.tif 000017